(57)【要約】【技術課題】  快適性に富み、省エネルギー、低コスト運転が可能で、高換気を同時に行うことが可能な高温空調システムを提供する。【解決手段】  空調対象室１００内からとり出した処理空気に外気を混合して液体吸着剤を用いた除湿器１０６に導くことにより等温除湿を行い、この等温除湿され、２８℃に調整された処理空気を前記空調対象室１００内に戻す処理空気ラインと、前記室内からとり出した再生空気を前記除湿器１０６に導くことによりこの除湿器１０６内の吸着液を等温再生し、この再生により多湿となった再生空気を大気中に排出する再生空気ラインとでシステムを構成する。このようにすると、除湿器１０６を低温で駆動することができるため、省エネルギー、低コスト運転が可能になると共に高換気を併せて行うことができる。【選択図】        図  ５
2005249359.tif 000002
【特許請求の範囲】
【請求項１】
空調対象室内からとり出した処理空気を液体吸着剤を用いた除湿器に導くことにより等温除湿を行い、この等温除湿された処理空気を前記空調対象室内に戻す処理空気ラインと、
前記室内からとり出した再生空気を前記除湿器に導くことによりこの除湿器内の吸着液を等温再生し、この再生により多湿となった再生空気を大気中に排出する再生空気ラインと、
から成る液体吸着剤を用いた除湿器を用いて行う高温空調システム。
【請求項２】
液体吸着剤として、臭化リチュウムが用いられていることを特徴とする請求項１に記載の高温空調システム。
【請求項３】
処理空気中に外気をとり込んで混合し、この外気混合処理空気を除湿器に導いて等温除湿に供することを特徴とする請求項１又は２に記載の高温空調システム。
【請求項４】
液体吸着剤を用いた除湿器における処理空気の等温除湿用熱源として、圧縮式又は吸収式冷凍機の蒸発熱を用い、等温再生用熱源として上記圧縮式又は吸収式冷凍機の凝縮排熱を用いることを特徴とする請求項１〜３の何れか１項に記載の高温空調システム。
【請求項５】
空調対象室内からとり出した処理空気を冷却後、固形吸着剤を用いた除湿器に導くことにより除湿を行い、この除湿された処理空気を温度調整後、前記空調対象室内に戻す処理空気ラインと、
前記室内からとり出した再生空気を加熱後、前記除湿器に導くことによりこの除湿器内の吸着剤の再生を行い、この再生により多湿となった再生空気を大気中に排出する再生空気ラインと、
から成る固形吸着剤を用いた除湿器を用いて行う高温空調システム。
【請求項６】
固形吸着剤として、シリカゲル又はゼオライトが用いられていることを特徴とする請求項５に記載の高温空調システム。
【請求項７】
処理空気中に外気をとり込んで混合し、この外気混合処理空気を除湿器に導いて除湿に供することを特徴とする請求項５又は６の何れか１項に記載の高温空調システム。
【請求項８】
除湿器に至る処理空気の冷却用熱源として、圧縮式又は吸収式冷凍機の蒸発熱を用い、再生空気の加熱用熱源として前記圧縮式又は吸収式冷凍機の凝縮排熱を用いることを特徴とする請求項５〜７の何れか１項に記載の高温空調システム。
【請求項９】
除湿器は、一基又は複数基で構成されていることを特徴とする請求項１〜８の何れか１項に記載の高温空調システム。
【請求項１０】
等温再生用熱源及び再生空気加熱用熱源として、圧縮式又は吸収式冷凍機の凝縮排熱に併せて、排熱を伴う機器から排出される排熱を用いることを特徴とする請求項１〜９の何れか１項に記載の高温空調システム。
【請求項１１】
空調温度を、２６℃〜３０℃に設定して行う請求項１〜１０の何れか１項に記載の高温空調システム。
【発明の詳細な説明】
【技術分野】
【０００１】
本発明は、室温を２６℃〜３０℃の高温に設定しても快適性を損なわない空調システムに関し、更に詳しくは、この高温快適空調に併せて、省エネルギー、低コスト運転を実現することが可能な空調システムに関する。
【背景技術】
【０００２】
わが国の省エネルギーを進める上で、民生部門のエネルギー消費の伸びが大きく、その抑制が重要視されている。民生部門では特に空調用エネルギーの割合が大きい。そこで、経済産業省は夏季の冷房を２８℃にするよう指示している。それは、空調温度を１度上げると、１０％省エネルギーになるという試算に基づくものである。
ところが、一般には２８℃という冷房温度はあまり守られていない。それは、部屋の湿度を成り行きとした場合には、通常、２８℃では快適でないからである。快適な空間であるためには、温度・湿度が特定の範囲になければならないことは米国ＡＳＨＲＡＥの規格にも示されているが、一般の空調では温度は設定できるが、湿度は成り行き任せであり、設定温度を高くすると、湿度も高めになり、十分な快適性が得られない。
また、経済産業省が定めた「住宅にかかるエネルギーの使用の合理化に関する設計及び施工の指針」によれば、機密性の高い部屋は機械換気方式により換気をしなければならないことになっているが、これもエネルギー消費を増加する因子である。
以上のことから、高温空調で快適性を満足するためには、これまで成り行き任せであった空調用空気の湿度管理が重要なファクターとなる。
現在の空調用空気の除湿システムとしては、空気中の水分を吸着剤に吸着させて除去する所謂デシカント除湿システムが公知である。
【特許文献１】特開２０００−２７４７８１号  この発明は、エネルギー消費が少なく、湿度制御で快適な空気調和装置の提供を目的として、デシカント空調装置（１２）の温水コイルに対して、ガスヒートポンプ（１）の排熱と共に、温水ボイラ（９、１９）から発生する熱量を付加し、温水ボイラ（９）を加熱する燃料制御は、室内の湿度を検出してその信号を受けた制御装置（５）により行う方式である。  しかし、この方式は、ガスヒートポンプ及び温水ボイラの排熱だけを利用するため、空調負荷変動に十分に対応できないと共に、高温空調による省エネルギー、低コスト運転を目的としていない。
【特許文献２】特開平１０−２０５８１８号  この発明は、ヒートポンプのエネルギーを効率良く用いて省エネルギー性が高く、かつ構成が簡単な空調システムを構築することができる空調機を提供することを目的として、第１の空間から該空調機に導入した第１の空気系統の空気とデシカントとを接触させて除湿したのち、第２の空間から該空調機に導入した第２の空気系統の空気と全熱交換させ、さらに全熱交換後の第１の空気系統の空気をヒートポンプの高熱源によって加熱したのちデシカントを通過させてデシカントの脱湿再生を行って該空調機から第２の空間に放出し、さらに全熱交換後の第２の空気系統の空気は、デシカントと接触させ除湿し更に冷却する除湿と冷却の連続した工程を少なくとも２回以上行った後、該空調機から第１の空間に放出する方式である。  しかし、この方式は、デシカントで除湿する前の処理空気は室温そのままであることから、除湿効率が悪く、また、空調負荷変動に十分に対応できない。  また、このシステムも、高温空調を目的としていないことから、省エネルギー、低コスト運転とはならない。また、上記した特許文献１、２は、除湿に併せて換気を行なうことを目的としていないために、上記した経済産業省が定めた高換気の目的を達成するためには、別に換気装置を設ける必要がある。このため、高換気を行うために設備にコストがかかり、更に運転エネルギーを別に消費することとなり、省エネルギーの観点から改善すべき課題がある。又、高換気を除湿に併せて行うための技術の提示もない。
【発明の開示】
【発明が解決しようとする課題】
【０００３】
本発明は、斯る点に鑑みて提案されるものであって、その第１の目的は、室温を２６℃〜３０℃の高温に設定しても快適性を保ち、全体として省エネルギー性が高く、低コストで運転ができ、通商産業省が定めた空調指針に合致する高温空調システムを提供することである。
更に、第２の目的は、高温快適空調に併せて、これも通商産業省の指針に合致する高換気を果す空調システムを提供することである。
【課題を解決するための手段】
【０００４】
上記目的を達成するため、請求項１に記載の発明においては、高温空調システムにおいて、空調対象室内からとり出した処理空気を液体吸着剤を用いた除湿器に導くことにより等温除湿を行い、この等温除湿された処理空気を前記空調対象室内に戻す処理空気ラインと、
前記室内からとり出した再生空気を前記除湿器に導くことによりこの除湿器内の吸着液を等温再生し、この再生により多湿となった再生空気を大気中に排出する再生空気ラインと、
から成る液体吸着剤を用いた除湿器を用いて行うことを特徴とするものである。
本発明によると、等温除湿、等温再生を行うため、システムを５０℃程度の熱源で駆動することが可能である。
【０００５】
更に、請求項２に記載の発明においては、請求項１に記載の発明において、液体吸着剤として、臭化リチュウムが用いられていることを特徴とするものである。
本発明によると、水分吸着性能に優れた吸着液の使用となり、然も吸収式冷凍機では既に用いられている吸着液のため、扱いやすく、安全である。
【０００６】
更に、請求項３に記載の発明においては、請求項１又は２に記載の発明において、処理空気中に外気をとり込んで混合し、この外気混合処理空気を除湿器に導いて等温除湿に供することを特徴とするものである。
本発明によると、高換気を達成することができると共に、外気も処理空気と混合して除湿及び温度調整が行われるため、空調効率を高めることができる。
【０００７】
更に、請求項４に記載の発明においては、請求項１〜３の何れか１項に記載の発明において、液体吸着剤を用いた除湿器における処理空気の等温除湿用熱源として、圧縮式又は吸収式冷凍機の蒸発熱を用い、等温再生用熱源として上記圧縮式又は吸収式冷凍機の凝縮排熱を用いることを特徴とするものである。
この発明によると、高温空調システムを、基本的には一基の冷凍機を組み合わせるだけで構成できる。
【０００８】
更に、請求項５に記載の発明においては、高温空調システムにおいて、空調対象室内からとり出した処理空気を冷却後、固形吸着剤を用いた除湿器に導くことにより除湿を行い、この除湿された処理空気を温度調整後、前記空調対象室内に戻す処理空気ラインと、
前記室内からとり出した再生空気を加熱後、前記除湿器に導くことによりこの除湿器内の吸着剤の再生を行い、この再生により多湿となった再生空気を大気中に排出する再生空気ラインと、
から成る固形吸着剤を用いた除湿器を用いて行うことを特徴とするものである。
この発明によると、冷却した処理空気を除湿するため、除湿器を低温で駆動することができる。
【０００９】
更に、請求項６に記載の発明においては、請求項５に記載の発明において、固形吸着剤として、シリカゲル又はゼオライトが用いられていることを特徴とするものである。
この発明によると、既に固形吸着剤として公知であることから、扱い易く、安全性も確保することができる。
【００１０】
更に、請求項７に記載の発明においては、請求項５又は６の何れか１項に記載の発明において、処理空気中に外気をとり込んで混合し、この外気混合処理空気を除湿器に導いて除湿に供することを特徴とするものである。
この発明によると、高換気を達成することができると共に外気も処理空気と混合して除湿及び温度調整されるため、空調効率を高めることができる。
【００１１】
更に、請求項８に記載の発明においては、請求項５〜７の何れか１項に記載の発明において、除湿器に至る処理空気の冷却用熱源として、圧縮式又は吸収式冷凍機の蒸発熱を用い、再生空気の加熱用熱源として前記圧縮式又は吸収式冷凍機の凝縮排熱を用いることを特徴とするものである。
この発明によると、高温空調システムを、基本的には一基の冷凍機を組み合わせるだけで構成できる。
【００１２】
更に、請求項９に記載の発明においては、請求項１〜８の何れか１項に記載の発明において、除湿器は、一基又は複数基で構成されていることを特徴とするものである。
この発明によると、負荷に応じたシステム構成及び運転が可能になる。
【００１３】
更に、請求項１０に記載の発明においては、請求項１〜９の何れか１項に記載の発明において、等温再生用熱源及び再生空気加熱用熱源として、圧縮式又は吸収式冷凍機の凝縮排熱に併せて、排熱を伴う機器から排出される排熱を用いることを特徴とするものである。
この発明によると、高負荷運転、例えばビル、学校等のような設備に対応する高温空調システムの提供が可能になる。
【００１４】
更に、請求項１１に記載の発明においては、請求項１〜１０の何れか１項に記載の発明において、空調温度を２６℃〜３０℃に設定して行うことを特徴とするものである。
【発明の効果】
【００１５】
請求項１〜１１に記載の本発明は以上のように、２６℃〜３０℃と云う高温空調で快適性を満足するシステムであることから、エネルギーの消費が少くて済み、画期的な省エネルギー化が可能である。
また、本発明では、液体吸着剤を用いた除湿器を用い、この除湿器で行う処理空気の除湿と再生を等温除湿、等温再生方式としたことにより、除湿器は５０℃程度の低温駆動が可能となる。この結果、圧縮式あるいは吸収式冷凍機の蒸発熱と凝縮熱を熱源としてシステムを構築することができるため、設備費に併せて運転コストの低減が可能である。
また、本発明では、処理空気中に外気をとり込み、併せて除湿を行なうため、高換気の目的を除湿に併せて達成できる。
１．  また、本発明は、居住空間ばかりでなく、高温空調、除湿を必要とする機器用の設    備空間の空調にも適用することができる。
【発明を実施するための最良の形態】
【００１６】
本発明における空調用空気は、高温、高除湿されたものであり、システムは、省エネルギー、低コスト運転、高換気運転を可能とするものである。そして、高温空調でありながら快適性を担保するために、湿度を３０〜５０％程度まで低下させるようにしている。更に、省エネルギー及び低コスト運転を行うために、空調温度を２６℃〜３０℃と高温に設定することにより、空調負荷を軽減し、これにより圧縮式あるいは吸収式冷凍機の運転時に発生する、あるいは排出される熱を除湿機の駆動用熱源として用いるようにしている。勿論、負荷によっては、他に熱源を求める場合もあるが、この場合でも、他の機器で発生する排熱を用いる。但し、２６℃〜３０℃の高温設定であっても負荷が非常に大きい場合には、排熱以外に熱源を求めなければならない場合もあるが、これは大型のビルの場合であって、一般家庭用の場合ではない。
空調温度は、２６℃〜３０℃の高温設定とするが、これを超える場合には、低温駆動による効果を十分に発揮することはできない。好ましくは２８℃である。
【００１７】
居住空間では、特に換気も十分に行わなければならないので、この換気にも配慮している。但し、本発明は、居住空間以外に、電子機器等の空調室にも適用することも考えており、この時は、快適性よりも省エネルギー、低コスト運転が主題となる。
除湿機は、高除湿性能を有し、扱い易く、家庭用にもとり入れるために小型化の可能なものが良く、これを満すものとしては例えば臭化リチュウムを吸着剤とした液体方式のものが最良である。また、この液体方式の除湿器は、処理空気温度を高めることなく除湿することができる所謂等温除湿が可能であり、併せて、吸着剤の等温再生もできるため、本発明の目的には最も適う除湿器のタイプである。
【００１８】
また、液体方式ではなく、例えばシリカゲル又はゼオライトを吸着剤として用いた固形方式の除湿器を用いることができる。但し、この固形方式は、除湿により処理空気は高温化するため、室内に戻すためには冷却が必要となり、更に再生空気は高温であることが必要になるため、高温の熱源が必要となる。
したがって、固形方式の除湿器を駆動する場合には、上記した液体方式に比較して省エネルギー、低コスト運転性能では劣ることになるが、それでも、高温空調を行うことから、例えば２５℃の空調時に比較して、２８℃の設定温度にすると、１℃で１０％の省エネルギー効果があるとすると、３０％の省エネルギー効果を達成できる。また、この固形方式の除湿器の場合には、処理空気を冷却してから除湿するようにすることで、除湿器を低温で駆動することができる。
【００１９】
図１（Ａ）（Ｂ）に基づいて液体吸着剤を用いた除湿プロセスと再生プロセスの例を説明する。
先ず、図１（Ａ）の除湿プロセスにおいては、吸着液タンク１からポンプ２で吸着液（臭化リチュウム）ａを汲み上げ、これを例えば圧縮式冷凍機の蒸発器３で冷却し、この冷却した吸着液ａを処理室４内に散水し、これに処理空気入口５から処理室４内に導入した処理空気と接触させて処理空気中の水分を吸着液に吸着させて乾燥空気となし、処理空気出口６から空調対象室に戻すものである。
図１（Ｂ）は以上に説明した除湿プロセスにおける空気線図である。
【００２０】
次に、図２（Ａ）に示す再生プロセスにおいては、吸着液タンク１ａからポンプ２ａで水分を吸着した水溶吸着液ａ´を汲み上げ、これを例えば圧縮式冷凍機の凝縮器７から排出される凝縮排熱で加熱し、再生室８内に散水し、これに再生室８内に再生空気入口９から導入した再生空気と接触させて吸収液を再生し、この再生した吸着液を吸着液タンク１側に戻し、多湿となった再生空気は排気口１０から大気中に排気する。このサイクルにより、処理空気の除湿及び冷却（等温除湿）と吸着液の再生（等温再生）が行われる。
図２（Ｂ）は以上に説明した再生プロセスにおける空気線図である。
【００２１】
以上のように、液体吸着剤を用いた除湿器では、処理空気を冷却しながら除湿し、加熱をしながら再生するため、顕熱の回収ができず、ＣＯＰは１．０以下となり、等温再生ができるため、駆動熱源温度は３０〜５０℃と大幅に低下する。
図３は、図１、図２で説明した除湿システムの空気線図であって、図中丸１は除湿器に入る処理空気、丸２は処理後（除湿後）空気、丸３は加熱され、除湿器に入る再生空気、丸４は多湿再生空気、丸５は排気される再生空気を示す。
【００２２】
次に、図４（Ａ）に基づいて固形吸着剤を用いた除湿システムの作動フローを説明する。空調対象室２０からとり出された再生空気は、全熱交換器２１で除湿後の高温処理空気により加熱され、更に再生に必要な温度となるように、例えば燃料電池等からの排熱を熱源とする排熱交換器２２で加熱された後、除湿器（デシカントホイル）２３に入り、ここでデシカントを再生し、大気中に排気される。
前記空調対象室２０からとり出された処理空気は、除湿器２３で除湿され、前記全熱交換器２１で冷却されて空調対象室２０に至る。
なお、以上のシステムは、除湿のみが行われるものであり、空調対象室２０の冷房は、別に設けた圧縮式あるいは吸収式冷凍機等で行われる。同じく、換気も別に設けた換気システムで行われる。
図４（Ｂ）は、上記した図４（Ａ）に示したシステムの空気線図であって、符号の丸１は処理前の空気、丸２は除湿後、全熱交換器２１に入る処理空気、丸３は空調対象室２０に入る処理空気、丸４は空調対象室２０からとり出された再生空気であって、全熱交換器２１に入る前の再生空気、丸５は熱交換器２２に入る前の再生空気、丸６は熱交換器２２を出て除湿器２３に入る前の再生空気、丸７は除湿器２３を出て排気される再生空気を示す。
【実施例１】
【００２３】
本実施例は、請求項１〜４に記載した液体吸着剤を用いた除湿器利用の高温空調システムであって、図５（Ａ）にこのシステムフローを示し、（Ｂ）に圧縮式冷凍機のシステムフローを示す。
この図５（Ａ）において、１００は空調対象室、１０１はこの空調対象室１００内の空気のとり出しライン、１０２はこのとり出しライン１０１から分岐した処理空気ライン、１０３は外気導入ラインであって、混合器１０４で処理空気と外気を任意に混合し、外気混合処理空気ライン１０５から臭化リチュウム液を吸着剤として用いる除湿器１０６に送り込まれ、除湿後処理済処理空気ライン１０７から空調対象室１００内に戻される。この時の処理空気の温度は２８℃である。
【００２４】
一方、とり出しライン１０１から分岐された再生空気ライン１０８は、前記除湿器１０６内に導入されて吸着液の再生に供されたのち、排気ライン１０９から大気中に排出される。
１１０は除湿器１０６内の吸着液を冷却するための吸着液冷却ラインであって、この吸着液冷却ライン１１０には、図５（Ｂ）に示す圧縮式冷凍機３００の蒸発器３０１が組み合わせてあり、吸着液を蒸発熱で冷却する。
１１１は再生空気加熱ラインであって、このライン１１１には圧縮式冷凍機３００の凝縮器３０２が組み合わせてあり、再生空気は、この凝縮器３０２の排熱で加熱されて水分を吸収した吸着剤（臭化リチュウム）の再生を行う。
図５（Ｂ）において、３０３は膨張弁、３０４は圧縮機を示す。
以上のシステムにおいて、処理空気は等温除湿が行なわれ、再生空気は等温再生を行なうため、圧縮式冷凍機３００を熱源として十分に駆動する。
また、上記実施例は、圧縮式冷凍機３００を組み合わせているが、吸収式冷凍機を組み合わせてこの冷凍機から排出される蒸発熱及び排熱でシステムを駆動させることも可能である（請求項４）。
また、負荷によっては、再生空気の加熱源として、凝縮器３０２に併せて、ボイラー、ガスエンジン、燃料電池等からの排熱を用いるようにしても良い（請求項１０）。
【実施例２】
【００２５】
本実施例は、固形吸着剤を用いた除湿器を用いて行う高温空調システムであって、請求項５〜８及び１０に対応し、図６（Ａ）にこのフローを示し、（Ｂ）に圧縮式冷凍機のシステムフローを示す。
この図６（Ａ）において、２００は空調対象室、２０１はこの空調対象室２００内からとり出した再生空気とり出しライン、４０１はこの空気とり出しライン２０１に取り付けられた図６（Ｂ）に示す圧縮式冷凍機４００の凝縮器であって、再生空気は、この凝縮器４０１の排熱で加熱されて、シリカゲル又はゼオライトから成る固形吸着剤が充填された除湿器２０３に入り、ここで多湿となった吸着剤を再生する。そして、再生により多湿となった再生空気は、他の排熱を伴う機器から排出された排熱を熱源とする排熱交換器２０４で再加熱されて再び除湿器２０３内に入り、吸着剤の再生を行ったのち、排出ライン２０５から大気中に排出される。
２０６は空調対象室２００から処理空気をとり出すための処理空気とり出しラインであって、この処理空気とり出しライン２０６からとり出された処理空気には、外気導入ライン２０７から導入された外気が混合器２０８で混合され、圧縮式冷凍機４００の蒸発器４０２で冷却されたのち、除湿器２０３内に入り、除湿されて一旦除湿器２０３から出たのち、再びＵターンライン２０９から除湿器２０３内に入り、再度除湿されてから圧縮式冷凍機４００の蒸発器４０２内に入り、ここで冷却されて処理空気送り込みライン２１０から空調対象室２００内に送り込まれる。この処理空気の温度は２８℃である。
【００２６】
図６（Ｂ）において、４０３は圧縮機、４０４は膨張弁である。
なお、外気の混合は、上記実施例では処理空気の冷却前となっているが、点線で示すように、冷却後の処理空気に混合するようにしても良い。
また、本実施例において、再生空気及び処理空気ともに除湿器２０３内に２度導入しているが、これは１度で完結するようにしても良い。
また、本実施例では、処理空気を除湿後一旦除湿器２０３の外に出し、再度除湿器２０３内に導入しているが、図７に示すようにパラレルに処理空気を除湿器２０３内に導入して除湿を行うようにしても良い。
また、実施例１と同様に圧縮式ではなく、吸収式冷凍機を組み合わせてシステムを構成しても良い。
図８は請求項９に対応する実施例であって、除湿器を二基用いた場合である。フローは図６（Ａ）と同様であるので、符号のみを記し、詳細な説明は省略する。
【図面の簡単な説明】
【００２７】
【図１】（Ａ）は液体吸着剤を用いた除湿器の除湿プロセスの説明図、（Ｂ）は空気線図。
【図２】（Ａ）は液体吸着剤を用いた除湿器の再生プロセスの説明図、（Ｂ）は空気線図。
【図３】液体吸着剤を用いた除湿器の空気線図。
【図４】（Ａ）は固形吸着剤を用いた除湿器の除湿及び再生フローの説明図、（Ｂ）は空気線図。
【図５】液体吸着剤を用いた除湿器から成る本発明に係る高温空調システムを示すもので、（Ａ）はフローの説明図、（Ｂ）は圧縮式冷凍機のフローの説明図。
【図６】固形吸着剤を用いた除湿器から成る本発明に係る高温空調システムを示すもので、（Ａ）はフローの説明図、（Ｂ）は圧縮式冷凍機の説明図。
【図７】除湿器に処理空気をパラレルに導入する実施例の説明図。
【図８】除湿器を二基用いる実施例の説明図。
【符号の説明】
【００２８】
１００、２００  空調対象室
１０７  外気導入ライン
１０６、２０３  除湿器
３００、４００  圧縮式冷凍機
３０１、４０２  蒸発器
３０２、４０１  凝縮器
【図１】
2005249359.tif 000003
【図２】
2005249359.tif 000004
【図３】
2005249359.tif 000005
【図４】
2005249359.tif 000006
【図５】
2005249359.tif 000007
【図６】
2005249359.tif 000008
【図７】
2005249359.tif 000009
【図８】
2005249359.tif 000010